(57)【要約】      （修正有）【課題】保全業務に用いる絶縁測定装置を用いる事無く、低圧電気設備の漏電電流状態を測定する装置を提供する。【解決手段】漏電表示機能付き分電盤の負荷側回路が破損し、前記負荷側回路に接続された接地線Ｇと中性相線Ｎ間における漏電電流測定手段（分岐漏電ブレーカは検出しない）において、手動音声ガイダンス操作釦で電圧Ｌ側切換スイッチは投入で幹線Ｅ３に制限電圧及び制限電流を印加する印加手段とし、回路表示手段は点灯し、前記手動音声ガイダンス操作釦で前記回路表示手段が点灯の分岐漏電ブレーカは開放し、前記負荷側回路に接続された接地線Ｇと中性相線Ｎ間及び接地線Ｇと電源線Ｌ間における漏電電流測定装置の結果を所有者票で登録した所有者及び製造事業者に提供される、一連の測定作業手段を有する。【選択図】図１
2010091581.tif 000002
【特許請求の範囲】
【請求項１】
漏電表示機能付き分電盤と負荷側回路及び接地極付コンセントと、前記漏電表示機能付き分電盤の接地極線又は電力量計に配置された接地極線で構成された漏電電流測定装置であって、前記漏電表示機能付き分電盤の負荷側回路に接続された接地線Ｇと中性相線Ｎ間(分岐漏電ブレーカは検出しない)における漏電電流測定手段において、手動音声ガイダンス操作釦(16)は前記漏電表示機能付き分電盤の主幹ブレーカ(3)を操作盤開放スイッチ(19)で開放し、前記手動音声ガイダンス操作釦(17)で１次送り回路(1)中性相Ｎ側スイッチ(8)と電圧Ｌ側切換スイッチ(11)は開放とし、前記手動音声ガイダンス操作釦(15)で放電スイッチ(14)投入及び開放で幹線Ｅ３の帯電は放電し、前記手動音声ガイダンス操作釦(18)で電圧Ｌ側切換スイッチ(11)投入し、前記幹線Ｅ３に制限電圧及び制限電流を印加する印加手段とし、回路表示手段(5)は点灯し、前記負荷側回路に接続された接地線Ｇと中性相線Ｎ間及び接地線Ｇと電源線Ｌ間における回路表示手段(5)及び接地極線で漏電電流測定手段とメモリー手段及び測定結果はアナウンス手段と１次送り回路に接続の充電機能付き電源装置と、を具備し、前記手動音声ガイダンス操作釦(20)は前記回路表示手段(5)で点灯表示された分岐漏電ブレーカ(4)を開放し、前記負荷側回路に接続された接地線Ｇと中性相線Ｎ間及び接地線Ｇと電源線Ｌ間における漏電電流測定手段の結果を所有者票で登録した所有者及び製造事業者に提供される、低圧電気設備の漏電電流状態を測定する装置。
【発明の詳細な説明】
【技術分野】
【０００１】
本発明は、保全業務に用いる絶縁測定装置等を用いる事無く、低圧電気設備の漏電電流状態を測定する装置に関するものである。
【背景技術】
【０００２】
例えば「電気用品安全法における電気用品の技術上の基準を定める省令の取扱い細則」や「ＩＥＣ６０３３５−１：１９９４の国際標準規格」では、電気用品（測定対象体）に接続される２本の交流電源線（以下、「電源線」ともいう）のうちいずれか一本と電気用品の外装（露出充電部）との間の漏れ電流を測定する旨が指示されている。この種の漏れ電流を測定可能な漏れ電流測定装置として、特開２００４−１３８５６５号公報及び特開平１０−２４６４５号公報に漏れ電流計（１）が開示されている。
【先行技術文献】
【特許文献】
【０００３】
【特許文献１】特開平１０−２４６６４５号公報（第４−６頁）
【特許文献２】特開２００４−１３８５６５号公報（第４−７頁）
【発明の概要】
【発明が解決しようとする課題】
【０００４】
しかしながら、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の低圧側配電線設備で供給している低圧電力供給に対し、サービス向上と原価低減(効率化)の相反する課題が要求されているが、現在、低圧電気設備の漏電電流状態を測定する装置がなく、供給管理職員及び電気工事者等の人的作業に頼るなどして効率が悪く、しかも内線規定による主幹を漏電ブレーカとした分電盤及び配電盤を設置したお客様(顧客)より、漏電地絡により作動し開放(停電)状態で、迅速な停電復旧依頼に対し、現在は24時間供給管理職員及び電気工事者等が、保全業務に用いる絶縁測定装置等で対応するサービスになっている。 
【０００５】
しかもお客様が、機器のスイッチ操作での短絡漏電(接地線Ｇと電源線Ｌ間における短絡)は、主幹の漏電ブレーカは機能するが、前記機器のスイッチは保持しない、また機器の漏電(接地線Ｇと中性相線Ｎ間の漏電)状態は、前記主幹漏電ブレーカは検出しない(周知技術)ので、供給管理職員及び電気工事者等が戸別に対応するサービスでは、復旧操作を行う場合見落とすおそれがある。
【０００６】
また、保全業務に用いる絶縁測定装置等には、主幹は漏電ブレーカとした分電盤及び配電盤に接続された情報機器や家電機器に対して、保全業務に用いる絶縁測定装置には（注意事項として、不用意に用いると情報機器や家電機器が損傷する）と取扱説明書に記載されている。したがって、事前の調査をふくむ一連の測定作業を行う必要がある。
【０００７】
本発明は、保全業務に用いる絶縁測定装置等を用いる事無く、測定対象体を用いて事前調査を含む一連の測定作業が出来る低圧電気設備の漏電電流状態を測定する装置を提供することを主目的とする。
【０００８】
低圧電気設備の電流状態を計測する装置は、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の配電電路において、漏電表示機能付き分電盤と負荷側回路及び接地極付コンセント(35)と、前記漏電表示機能付き分電盤の接地極線(68)又は電力量計に配置された接地極線(68)で構成された漏電電流測定装置であって、前記漏電表示機能付き分電盤の負荷側回路に接続された接地線Ｇと中性相線Ｎ間における(分岐漏電ブレーカは検出しない) 漏電電流状態を測定作業においては、
【０００９】
手動音声ガイダンス操作釦(16)は前記漏電表示機能付き分電盤の主幹ブレーカ(3)を操作盤開放スイッチ(19)で開放し、前記手動音声ガイダンス操作釦(17)で１次送り回路(1)中性相Ｎ側スイッチ(8)及び電圧Ｌ側切換スイッチ(11)は開放とし、前記手動音声ガイダンス操作釦(15)で放電スイッチ(14)投入及び開放で幹線Ｅ３の帯電を放電する、漏電電流状態の測定作業を行い。
【００１０】
前記手動音声ガイダンス操作釦(18)で電圧Ｌ側切換スイッチ(11)は投入で幹線Ｅ３に制限電圧及び制限電流を印加する印加手段とし、回路表示手段(5)は点灯し、前記負荷側回路に接続された接地線Ｇと中性相線Ｎ間及び接地線Ｇと電源線Ｌ間における漏電電流測定手段と回路表示手段(5)及び接地極線(68)で漏電電流測定手段とメモリー手段及び測定結果をアナウンス手段と１次送り回路(1)に接続の充電機能付き電源装置(13)と、を具備し、前記手動音声ガイダンス操作釦(20)で前記回路表示手段(5)が点灯の分岐漏電ブレーカ(4)は開放し、前記負荷側回路に接続された接地線Ｇと中性相線Ｎ間及び接地線Ｇと電源線Ｌ間における漏電電流測定手段の結果を、所有者票で登録した所有者及び製造事業者に提供される、漏電電流状態を測定する作業となる。
【課題を解決するための手段】
【００１１】
上記目的を達成すべく請求項１に記載の低圧電気設備の漏電電流状態を測定する装置は、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の配電電路において、漏電表示機能付き分電盤と負荷側回路及び接地極付コンセント(35)と、前記漏電表示機能付き分電盤の接地極線(68)又は電力量計に配置された接地極線(68)で構成された漏電電流測定装置で構成されている。
【００１２】
前記漏電表示機能付き分電盤の負荷側回路に接続された接地線Ｇと中性相線Ｎ間における(分岐漏電ブレーカは検出しない)における漏電電流状態を測定する装置において、手動音声ガイダンス操作釦(16)は前記漏電表示機能付き分電盤の主幹ブレーカ(3)を操作盤開放スイッチ(19)で開放し、前記手動音声ガイダンス操作釦(17)で１次送り回路(1)中性相Ｎ側スイッチ(8)及び電圧Ｌ側切換スイッチ(11)は開放とし、前記手動音声ガイダンス操作釦(15)で放電スイッチ(14)は投入及び開放で幹線Ｅ３の帯電を放電する測定手段と、
【００１３】
前記手動音声ガイダンス操作釦(18)で電圧Ｌ側切換スイッチ(11)は投入で幹線Ｅ３に制限電圧及び制限電流を印加する印加手段とし、回路表示手段(5)は点灯し、前記負荷側回路に接続された接地線Ｇと中性相線Ｎ間及び接地線Ｇと電源線Ｌ間における漏電電流測定手段と回路表示手段(5)及び接地極線(68)で漏電電流測定手段とメモリー手段及び測定結果をアナウンス手段と１次送り回路(1)に接続の充電機能付き電源装置(13)と、を具備する測定手段と、
【００１４】
前記手動音声ガイダンス操作釦(20)で前記回路表示手段(5)が点灯した分岐漏電ブレーカ(4)を開放し、前記負荷側回路に接続された接地線Ｇと中性相線Ｎ間及び接地線Ｇと電源線Ｌ間における漏電電流測定装置の結果を、所有者票で登録した所有者及び製造事業者に提供される、一連の測定作業手段になる。
【発明の効果】
【００１５】
低圧電気設備の電流状態を計測する装置は、漏電表示機能付き分電盤と負荷側回路及び接地極付コンセント(35)と、前記漏電表示機能付き分電盤の接地極線(68)又は電力量計に配置された接地極線(68)で構成された漏電電流測定装置であって、前記漏電表示機能付き分電盤と負荷側回路に接続された接地線Ｇと中性相線Ｎ間における(分岐漏電ブレーカは検出しない)における漏電電流測定手段とは、１．建築内装材、主として金属の軽量天井材及び金属間仕切り材に係わる配線材ＶＡケーブル等が破損し、負荷側回路に接続された接地線Ｇと中性相線Ｎ間及び接地線Ｇと電源線Ｌ間における漏電電流測定手段。２．漏電表示機能付き分電盤とＩＣタグ付接地極コンセントに接続された接地線Ｇと中性相線Ｎ間における漏電電流測定手段。３．前記は、幹線Ｅ３に制限電圧及び制限電流を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と、を具備し、前記手動音声ガイダンス操作釦で前記回路表示手段が点灯の分岐漏電ブレーカは開放し、前記負荷側回路に接続された接地線Ｇと中性相線Ｎ間及び接地線Ｇと電源線Ｌ間における漏電電流測定装置の結果を、所有者票で登録した所有者及び製造事業者に提供される、一連の測定作業になる。
【図面の簡単な説明】
【００１６】
【図１】接地線Ｇと中性相線Ｎ間における漏電電流測定手段の回路図
【図２】接地線Ｇと電源線Ｌ間における漏電電流測定手段の回路図
【発明を実施するための形態】
【００１７】
以下、添付図面第１図を参照して、請求項１に記載の低圧電気設備の電流状態を計測する装置の好適な実施の形態について説明する。
【００１８】
最初に、回路点検手段備えた低圧電気設備の電流状態を計測する装置係わる構成について、第１図及び第２図の回路図を参照して説明する。
【００１９】
接地線Ｇと中性相線Ｎ間における漏電電流測定装置は、図１に示すように、各々の先端部にプローブがそれぞれ接続された測定用ケーブル、１４a、１４b、１４c、スイッチ１５a、測定抵抗１６(短絡１)は測定対象体Ｘ１Ｎとし、接地線Ｇと電源線Ｌ間における漏電電流測定装置は、図２に示すように、各々の先端部にプローブがそれぞれ接続された測定用ケーブル、２４a、２４b、２４c、スイッチ２５a、測定抵抗２６(短絡２)は測定対象体Ｘ２Ｌ、を備え、測定対象体についての漏れ電流を測定可能にする構成とされている。
【００２０】
この場合、接地線Ｇと中性相線Ｎ間及び接地線Ｇと電源線Ｌ間における漏電電流測定装置は、例えば、複数の測定抵抗１６(短絡１)及び測定抵抗２６(短絡２)と、複数の分岐漏電ブレーカ(４、２４)と回路表示手段(５、２５)と、これらの各素子の接続状態を切り替えるための複数のリレーとを備え、制御部によって各リレーがオン／オフ制御されることにより、幹線Ｅ３に制限電圧及び制限電流を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と、を具備する測定手段と、
【００２１】
前記手動音声ガイダンス操作釦で前記回路表示手段が点灯の分岐漏電ブレーカは開放し、前記負荷側回路に接続された接地線Ｇと中性相線Ｎ間及び接地線Ｇと電源線Ｌ間における電電流測定手段の結果を、所有者票で登録した所有者及び製造事業者に提供される、一連の測定作業になる。
【００２２】
次に、低圧電気設備の漏電電流状態を計測する装置の使用方法について説明する。
【００２３】
まず、電源線（Ｌ、Ｎ）、接地線（Ｇ）および接地線Ｇと中性相線Ｎ間における漏電電流測定装置は、図１においては、各々の先端部にプローブがそれぞれ接続された測定用ケーブル、１４a、１４b、１４c、スイッチ１５a、測定抵抗１６(短絡１)は測定対象体Ｘ１Ｎとして設置し、接地線Ｇと電源線Ｌ間の漏電電流測定装置は、図２においては、各々の先端部にプローブがそれぞれ接続された測定用ケーブル、２４a、２４b、２４c、スイッチ２５a、測定抵抗２６(短絡２)は測定対象体Ｘ２Ｌとして設置し、測定対象体Ｘ１Ｎ及びＸ２Ｌについての漏れ電流を測定するものとする。
【００２４】
次に、制御部の手動音声ガイダンス操作釦(16)は、前記漏電表示機能付き分電盤の主幹ブレーカ(3)を操作盤開放スイッチ(19)で開放し、前記手動音声ガイダンス操作釦(17)で１次送り回路(1)の中性相Ｎ側スイッチ(8)と電圧Ｌ側切換スイッチ(11)は開放とし、
前記電圧Ｌ側切換スイッチ(11)に接続した電圧電流制限装置(9)と表示手段LED(10)とは、前記開放された主幹ブレーカ(3)の負荷側分岐幹線Ｅ３に接続し、電路の負荷側接地端子(67)と放電スイッチ(14)は前記負荷側分岐幹線Ｅ３に接続とし、前記手動音声ガイダンス操作釦(15)で放電スイッチ(14)投入と開放で幹線Ｅ３の帯電を放電する測定手段と、
【００２５】
前記手動音声ガイダンス操作釦(18)で電圧Ｌ側切換スイッチ(11)は前記負荷側分岐幹線Ｅ３に投入し、前記幹線Ｅ３に制限電圧及び制限電流を印加する印加手段とし、回路表示手段(5)は点灯し、前記負荷側回路に接続された接地線Ｇと中性相線Ｎ間及び接地線Ｇと電源線Ｌ間における漏電電流測定手段と回路表示手段(5)及び接地極線(68)で漏電電流測定手段とメモリー手段及び測定結果をアナウンス手段と１次送り回路(1)に接続の充電機能付き電源装置(13)と、を具備する測定手段と、
【００２６】
前記手動音声ガイダンス操作釦(20)で前記回路表示手段(5)が点灯の分岐漏電ブレーカ(4)は開放し、前記負荷側回路に接続された接地線Ｇと中性相線Ｎ間及び接地線Ｇと電源線Ｌ間における漏電電流測定手段の結果を所有者票で登録した所有者及び製造事業者に提供される、一連の測定作業になる。
【００２７】
なお、第1及び２図記載の充電機能付き電源装置(13、33)は、単相３線式供給を「多数の電源を含む回路の各部の電流または電圧は、各電源が一つずつ単独に存在すると仮定して求めた電流又は電圧を、重ね合わせたものに等しい」という定理、この定理は、RとLとCで構成されている回路では電源が正弦波である場合に限らず一般に成立する(重ね合わせの理ともいう)前記充電機能付き電源装置(13、33)のRとLとC供給は、交流正弦波を重ね合わせの理で前記充電機能付き電源装置(13、33)に供給し前記一次送り回路(1、21)は、交流正弦波供給が維持される。
【００２８】
なお、第1及び２図記載の印加供給手段は、１次送り回路(1、21)の負荷電圧L側に接続した電圧電流制限装置(9)と、表示手段LED(10)は「保護ヒューズに並列接続の交流上り側LEDと交流下り側LEDと交流を一方向とする、一方向交流を直列接続のネオンランプの陽極から陰極へ流れ陰極側がグロー点灯で形成され、かつ、交流波形の変形は交流７０Vで点灯し、交流上り側＋３５Vと交流下り側−３５Vを交流一方向にする制限電圧は、」前記手動音声ガイダンス操作釦(18)で電圧Ｌ側切換スイッチ(11)は前記負荷側分岐幹線Ｅ３に投入し、幹線Ｅ３に制限電圧及び制限電流を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と１次送り回路(1)に接続の充電機能付き電源装置(13)と、を具備し、共に作動する構成とした。
【００２９】
なお、第1及び２図に記載の、負荷側回路に接続された接地線Ｇと中性相線Ｎ間及び接地線Ｇと電源線Ｌ間における漏電電流測定装置の、手動音声ガイダンス操作釦における回路点検手段は「電線中における自由電子は、電荷を運ぶ担い手にすぎない」という定理と、前記漏電電流測定手段は、回路に流れる電流は必ず「行き」と「帰り」とがある、電流は瞬時に負荷まで届いて帰るから、その途中に検出部(ZCT負荷側回路表示)を設け、ここを通過する「行き」と「帰り」の電流を測り、その差を見つけ出す定理とで、幹線Ｅ３に制限電圧及び制限電流を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と１次送り回路に接続の充電機能付き電源装置と、を具備し、前記手動音声ガイダンス操作釦で前記回路表示手段点灯の分岐漏電ブレーカは開放し、前記負荷側回路に接続された接地線Ｇと中性相線Ｎ間及び接地線Ｇと電源線Ｌ間における漏電電流測定装置の結果を、所有者票で登録した所有者及び製造事業者に提供される。
【産業上の利用可能性】
【００３０】
保全業務に用いる絶縁測定装置等には、主幹は漏電ブレーカとした分電盤及び配電盤に接続された情報機器や家電機器に対して、保全業務に用いる絶縁測定装置には、注意として不用意に用いると前記情報機器や家電機器が損傷すると、取扱説明書に記載されている。本発明は、保全業務に用いる絶縁測定装置等を用いる事無く、低圧電気設備の漏電電流状態を測定する装置を提供することを主目的とする。１・上記システムは低圧電気設備を高度な電気的状態を監視する手段として改良する事が出来る。２・使用製品安全点検表示装置（漏電表示機能付き分電盤とＩＣタグ付接地極コンセント等で構成）と手動音声ガイダンス操作釦システムを集合住宅等のお客様(顧客)に提供することで、集合住宅に係わる住宅管理業務が行い易くなる。３・漏れ電流(経年劣化を含む)測定結果を所有者票で登録所有者と製造事業者に提供する。４・所有者票登録で製造事業者等は、漏れ電流(経年劣化を含む)等の故障修理ができる。
【符号の説明】
【００３１】
６１  給電側変圧器６２  変圧器の２次側巻線６３  中性線側６４  中性線側接地線６５  引き込み線６６  電力量計６７  電路の負荷側接地端子６８  負荷側接地線      Ｅ  第３種接地      １  １次送り回路２１  １次送り回路３  主幹ブレーカ４  分岐漏電ブレーカ５  回路表示手段２４  分岐漏電ブレーカ２５  回路表示手段６  他の分岐ブレーカ２６  他の分岐ブレーカ８  １次送り回路中性相Ｎ側スイッチ２８  １次送り回路中性相Ｎ側スイッチ９  電圧Ｌ側に接続した電圧電流制限装置２９  電圧Ｌ側に接続した電圧電流制限装置１０  表示手段LED３０  表示手段LED１１  Ｌ側切替えスイッチ３１  Ｌ側切替えスイッチＥ３  負荷側分岐幹線１２  負荷側分岐幹線３２  負荷側分岐幹線１３  充電機能付き電源装置の常時供給回路３３  充電機能付き電源装置の常時供給回路３５  接地極付コンセント３５１  電源線Ｌ３５２  中性相線Ｎ３５３  接地線Ｇ３５４  一次送り負荷側に接続されたコンセント３５５  分岐漏電ブレーカの負荷側に接続されたコンセント３５６  手動遮断装置３５７  自動遮断装置１４  放電スイッチ１５  操作釦１６  操作釦１７  操作釦１８  操作釦１９  操作盤開放スイッチ２０  操作釦短絡１  負荷側回路に接続された接地線Ｇと中性相線Ｎ間における漏電箇所短絡２  負荷側回路に接続された接地線Ｇと電源線Ｌ間における漏電箇所
【図１】
2010091581.tif 000003
【図２】
2010091581.tif 000004